(57)【要約】【課題】建築施工現場のように予め定められた撮影場所の画像を簡易に取得できるようにする。【解決手段】画像管理装置１からデジタルカメラ２に、建築現場の工程管理に必要な画像を撮影させるべく、撮影する施工箇所の簡易画像、施工箇所名および工程番号を含む撮影指示情報Ｔ０を送信する。デジタルカメラ２においては、撮影指示情報Ｔ０に含まれる簡易画像および施工箇所名を順次モニタ２７に表示し、簡易画像および施工箇所名に応じた施工箇所の撮影を行う。そして、撮影により取得した画像データＳ０を無線ＬＡＮを介して画像管理装置１に送信する。画像管理装置１においては、デジタルカメラ２から送信された画像データＳ０に基づいて、現場の管理を行う。【選択図】　　　　　図１
2004032608.tif 000002
【特許請求の範囲】
【請求項１】
撮影すべき被写体を指示する撮影指示情報を記憶した撮影指示情報記憶手段と、
前記撮影指示情報を無線通信網を介して撮像装置に送信するとともに、該無線通信網を介して送信された情報を受信する通信手段と、
前記撮影指示情報に基づいて前記撮像装置において取得された画像データの入力を受け付ける入力手段と、
前記画像データを保管する保管手段とを備えたことを特徴とする画像管理装置。
【請求項２】
前記入力手段は、前記撮像装置から前記無線通信網を介して送信された前記画像データの入力を受け付ける手段であることを特徴とする請求項１記載の画像管理装置。
【請求項３】
前記保管手段に保管された前記画像データと前記撮影指示情報記憶手段に記憶された前記撮影指示情報とを比較し、該撮影指示情報に対応する画像データが前記保管手段に欠落している場合には、該欠落している画像データに対応する撮影指示情報を再度前記撮影装置に送信するよう、前記通信手段を制御する通信制御手段を備えたことを特徴とする請求項１または２記載の画像管理装置。
【請求項４】
前記撮影指示情報は、前記被写体の位置を表す位置情報を少なくとも含むことを特徴とする請求項１から３のいずれか１項記載の画像管理装置。
【請求項５】
前記撮影装置の所在位置を検出する位置検出手段をさらに備え、
前記通信制御手段は、前記所在位置に応じた前記撮影指示情報を前記撮影装置に送信するよう前記通信手段を制御する手段であることを特徴とする請求項１から４のいずれか１項記載の画像管理装置。
【請求項６】
被写体を撮影して該被写体を表す画像データを取得する撮像手段と、
請求項１から５のいずれか１項記載の画像管理装置から送信された前記撮影指示情報を受信する受信手段と、
前記撮影指示情報を含む種々の情報を表示する表示手段と、
前記撮影指示情報に基づいて前記撮像手段により取得された前記画像データを記憶する記憶手段とを備えたことを特徴とする撮像装置。
【請求項７】
前記記憶手段に記憶された前記画像データを無線通信網を介して請求項１から５のいずれか１項記載の画像管理装置に送信する送信手段をさらに備えたことを特徴とする請求項６記載の撮像装置。
【請求項８】
所在位置を表す所在位置情報を取得する位置情報取得手段と、
該所在位置情報を請求項１から５のいずれか１項の画像管理装置に送信するよう前記送信手段を制御する送信制御手段とをさらに備えたことを特徴とする請求項７記載の撮像装置。
【請求項９】
請求項１から５のいずれか１項記載の画像管理装置と、少なくとも１つの請求項６から８のいずれか１項記載の撮像装置とを備えたことを特徴とする画像保管管理システム。
【発明の詳細な説明】
【０００１】
【発明の属する技術分野】
本発明は、工事現場等における工事の進捗状況の画像を管理するのに好適な画像管理装置、画像管理装置において管理される画像を取得する撮像装置並びに画像管理装置および撮像装置を備えた画像保管管理システムに関するものである。
【０００２】
【従来の技術】
建物等の工事現場は、施工管理を行う管理事務所からは離れていることが多く、また１つの管理事務所で複数の現場を管理することが常である。このため、管理事務所における現場管理を効率よく行うために、現場にテレビカメラを設置し、テレビカメラにおいて取得された画像を表す画像データを無線通信網を介して、工事現場から遠隔地の管理事務所に設置された管理装置に送信するようにしたシステムが提案されている（特開平９−２６１６１９号公報）。
【０００３】
また、工事現場の管理を効率よく行うために、撮影場所等を表す撮影情報をコンピュータからデジタルカメラに送信し、デジタルカメラにおいてはこの撮影情報に基づいて撮影を現場の撮影を行うようにしたシステムが提案されている（特開２００１−２４９８２号公報）。このシステムにおいては、デジタルカメラにおいて取得された画像データはコンピュータに入力され、画像データベースが生成され、撮影情報をキーとした画像の検索等を行うことができる。
【０００４】
また、撮影により取得した画像データを無線通信網を介して送信するデジタルカメラにおいて、画像データを記憶するメモリへのデータの記憶状況を管理し、管理の結果に基づいてメモリに記憶された画像データを所定の送信先へ送信するようにしたシステムも提案されている（特開２０００−１１５７３１号公報）。
【０００５】
【発明が解決しようとする課題】
しかしながら、上記特開平９−２６１６１９号公報に記載されたシステムにおいては、１つの現場において複数の施工箇所の管理を行う場合には、全ての施工箇所にテレビカメラを設置する必要があるため、高額な設備投資が必要であった。
【０００６】
また、上記特開２００１−２４９８２号公報に記載されたシステムにおいては、デジタルカメラに撮影情報を送信しさえすれば、高額な設備投資を行うことなく施工箇所の画像を取得することができる。しかしながら、デジタルカメラに撮影情報を送信し忘れると、施工箇所の画像を撮影することができないという問題がある。
【０００７】
また、上記特開２０００−１１５７３１号公報に記載されたシステムにおいては、任意の場所において撮影した画像データを送信することができる。しかしながら、撮影者が任意に撮影した画像データのみしか送信することができないため、工事現場の施工管理を行う場合においては、撮影者が撮影すべき施工箇所を覚えておく必要があり、撮影者の負担が非常に大きいものであった。
【０００８】
本発明は上記事情に鑑みなされたものであり、工事現場のように予め定められた撮影場所の画像を簡易に取得できるようにすることを目的とする。
【０００９】
【課題を解決するための手段】
本発明による画像管理装置は、撮影すべき被写体を指示する撮影指示情報を記憶した撮影指示情報記憶手段と、
前記撮影指示情報を無線通信網を介して撮像装置に送信するとともに、該無線通信網を介して送信された情報を受信する通信手段と、
前記撮影指示情報に基づいて前記撮像装置において取得された画像データの入力を受け付ける入力手段と、
前記画像データを保管する保管手段とを備えたことを特徴とするものである。
【００１０】
「撮影指示情報」としては、撮影すべき被写体の種別、および画像データを取得する期限を示す撮影工程を含むものである。具体的には、撮影すべき被写体を特定可能な、例えば被写体の輪郭のみを表す簡易画像、撮影場所を表す文字等の情報、被写体種別を表すコード情報、工程の番号等を含むものとすることができる。なお、撮像装置においてコード情報と簡易画像とを関連付けて保管し、本発明による画像管理装置から撮像装置に上記コード情報からなる撮影指示情報を送信し、撮像装置においてコード情報に対応する簡易画像を表示して、撮影を行うようにしてもよい。
【００１１】
「無線通信網」としては、無線によりデータ通信を行うことができるネットワークを意味し、具体的には無線ＬＡＮ通信網、携帯電話通信網、ブルーツースのような近距離無線通信網等を用いることができる。なお、撮像装置と本発明による画像管理装置とを結ぶ全てのネットワークが無線通信網により構成されている場合のみならず、ネットワークの一部のみが無線通信網により構成されている場合も、本発明においては無線通信網に含むものとする。
【００１２】
なお、本発明による画像管理装置においては、前記入力手段を、前記撮像装置から前記無線通信網を介して送信された前記画像データの入力を受け付ける手段としてもよい。
【００１３】
また、本発明による画像管理装置においては、前記保管手段に保管された前記画像データと前記撮影指示情報記憶手段に記憶された前記撮影指示情報とを比較し、該撮影指示情報に対応する画像データが前記保管手段に欠落している場合には、該欠落している画像データに対応する撮影指示情報を再度前記撮影装置に送信するよう、前記通信手段を制御する通信制御手段を備えるものとしてもよい。
【００１４】
ここで、送信した撮影指示情報に対応する画像を撮像装置において撮影し忘れると、保管手段には所望とする画像データが欠落するが、撮影指示情報に対応する画像を撮影しても、取得された画像データにより表される画像が、手ぶれ、ピンボケ、露光不足等により所定の画質を有さない場合がある。本発明においては、このように取得した画像が所定の画質を有さない場合にも、その画像を表す画像データが欠落しているものとして扱ってもよい。
【００１５】
また、本発明による画像管理装置においては、前記撮影指示情報を、前記被写体の位置を表す位置情報を少なくとも含むものとしてもよい。
【００１６】
また、本発明による画像管理装置においては、前記撮影装置の所在位置を検出する位置検出手段をさらに備えるものとし、
前記通信制御手段を、前記所在位置に応じた前記撮影指示情報を前記撮影装置に送信するよう前記通信手段を制御する手段としてもよい。
【００１７】
本発明による撮像装置は、被写体を撮影して該被写体を表す画像データを取得する撮像手段と、
本発明による画像管理装置から送信された前記撮影指示情報を受信する受信手段と、
前記撮影指示情報を含む種々の情報を表示する表示手段と、
前記撮影指示情報に基づいて前記撮像手段により取得された前記画像データを記憶する記憶手段とを備えたことを特徴とするものである。
【００１８】
なお、本発明による撮像装置においては、前記記憶手段に記憶された前記画像データを無線通信網を介して本発明による画像管理装置に送信する送信手段をさらに備えるものとしてもよい。
【００１９】
また、本発明による撮像装置においては、所在位置を表す所在位置情報を取得する位置情報取得手段と、
該所在位置情報を本発明による画像管理装置に送信するよう前記送信手段を制御する送信制御手段とをさらに備えるものとしてもよい。
【００２０】
本発明による画像保管管理システムは、本発明による画像管理装置と、少なくとも１つの本発明による撮像装置とを備えたことを特徴とするものである。
【００２１】
【発明の効果】
本発明によれば、撮影すべき被写体を表す撮影指示情報が、無線通信網を介して撮像装置に送信され、撮像装置においては、受信した撮影指示情報に基づいて撮影が行われて撮影指示情報に応じた画像データが取得される。そして、画像管理装置においては入力手段により取得された画像データの入力が受け付けられ、保管手段により画像データが保管される。
【００２２】
このように、本発明においては撮像装置に撮影すべき被写体を表す撮影指示情報を送信しているため、被写体が存在する全ての場所に撮像装置を設置する必要がなくなり、これにより、少ない設備投資にて工事現場等における複数箇所にある被写体の撮影を行うことができる。また、撮像装置においては、撮影指示情報に基づいて撮影を行うことにより、撮影者が撮影すべき場所を覚えておく必要がなくなるため、撮影者の負担を軽減することができる。さらに、無線通信網を介して撮影指示情報を撮像装置に送信しているため、撮像装置が画像管理装置から遠隔地にあっても、撮影指示情報を送信して必要な被写体の画像の撮影を行わせることができる。
【００２３】
また、請求項２の発明によれば、請求項５の発明のように無線通信網を介して画像データを送信する送信手段を有する撮像装置から無線通信網を介して送信された画像データの入力が受け付けられる。このように、無線通信網を介して撮像手段から送信された画像データの入力を受け付けるようにすれば、撮影場所において取得した画像データを直ちに保管手段に保管することができる。
【００２４】
また、請求項３の発明によれば、保管手段に保管された画像データと撮影指示情報記憶手段に記憶された撮影指示情報とが比較され、撮影指示情報に対応する画像データが保管手段に欠落している、すなわち撮影指示情報により撮影が指示された画像データが保管手段に保管されていない場合には、欠落している画像データに対応する撮影指示情報が再度撮影装置に送信される。このため、撮影装置においては、再度送信された撮影指示情報に基づいて被写体の撮影を行うことにより、撮影指示情報に対応する画像データを取得することができ、これにより、保管手段には撮影指示情報に対応する全ての画像データを保管することができる。
【００２５】
また、請求項４の発明によれば、被写体の位置を表す位置情報が撮影指示情報に含まれるため、撮影指示情報を参照することにより撮影すべき被写体の位置を容易に知ることができ、その結果、撮影指示情報に対応する画像データの撮影を撮影装置において容易に行うことができる。
【００２６】
また、請求項５の発明によれば、位置検出手段により撮影装置の所在位置が検出され、所在位置に応じた撮影指示情報が撮影装置に送信される。とくに、請求項８の発明のように、撮像装置が位置情報取得手段により、自身の所在位置を表す所在位置情報を取得し、これを画像管理装置に送信するようにすれば、画像管理装置においては簡易に撮像装置の位置を知ることができる。これにより、撮影装置が複数存在する場合において、撮影すべき被写体に近い位置に所在する撮影装置にその被写体を撮影すべき旨を表す撮影指示情報を送信することができる。したがって、撮影装置においては効率よく撮影すべき被写体を撮影することができ、その結果、効率よく画像データを取得することができる。
【００２７】
【発明の実施の形態】
以下図面を参照して本発明の実施形態について説明する。図１は本発明の第１の実施形態による画像管理装置および撮像装置を備えた画像保管管理システムの構成を示す概略ブロック図である。図１に示すように、第１の実施形態による画像保管管理システムは、画像管理装置１とデジタルカメラ２との間において、無線ＬＡＮを間に含むネットワーク３を介してデータ通信を行うものである。なお、本実施形態においては、デジタルカメラ２は工事現場の管理者により携帯され、管理者はデジタルカメラ２により現場における所定の施工箇所の撮影を行って施工箇所の画像を表す画像データＳ０を取得するものとする。
【００２８】
画像管理装置１は、画像管理装置１の管理者により操作されるものであり、ネットワーク３を介して通信を行う通信インターフェース１１と、種々の情報や画像管理装置１の動作を実行するプログラムを記憶するメモリ１２と、ネットワーク３を介して送信された画像データＳ０および種々の情報を表示するモニタ１３と、デジタルカメラ２から必要とされる画像データＳ０が送信されたか否かを判定する画像判定手段１４と、種々の入力を行うためのキーボードおよびマウス等からなる入力手段１５と、通信インターフェース１１、メモリ１２、モニタ１３、画像判定手段１４および入力手段１５の制御を行う制御手段１６とを備える。
【００２９】
通信インターフェース１１は、後述するようにデジタルカメラ２から送信され、さらに有線のＬＡＮ（以下有線ＬＡＮとする）３１および無線ＬＡＮアクセスポイント３２を有するネットワーク３を介して送信された画像データＳ０を受信するとともに、メモリ１２に記憶された撮影指示情報Ｔ０をネットワーク３を介してデジタルカメラ２に送信する。
【００３０】
メモリ１２は、デジタルカメラ２から送信された画像データＳ０、現場管理情報Ｇ０および画像管理装置１を制御するプログラム等を記憶する。図２は、現場管理情報Ｇ０の例を示す図である。図２に示すように、現場管理情報Ｇ０は工事現場における所定の施工箇所の画像と工程の管理期限とが２次元状に構成されてなる。図２において横軸が管理期限別の工程番号を、縦軸が各工程において管理が必要な施工箇所名を表す。例えば、管理期限が２００２年６月１５日の工程番号２においては、現場のコンクリート１、コンクリート２、外観の正面、外観の裏面、ガス配管および水道配管の画像が現場の管理に必要とされることが現場管理情報Ｇ０から分かる。なお、図２において斜線部分が既に取得された画像を示す。
【００３１】
そして、例えば工程番号２に関しては、２００２年６月１５日の数日前に、工程番号２に必要な施工箇所の撮影をデジタルカメラ２を所有する管理者に行わせるべく、現場管理情報Ｇ０に含まれる現場のコンクリート１、コンクリート２、外観の正面、外観の裏面、ガス配管および水道配管の簡易画像と、施工箇所名と、工程番号（ここでは２）とが撮影指示情報Ｔ０としてメモリ１２から読み出され、通信インターフェース１１からネットワーク３を介してデジタルカメラ２に送信される。
【００３２】
なお、デジタルカメラ２への撮影指示情報Ｔ０の送信時においては、後述するようにデジタルカメラ２の所在位置を確認し、工程番号２における所定の施工箇所の撮影を行うことが可能な場所に所在するデジタルカメラ２に対して、撮影指示情報Ｔ０が送信される。これにより、例えば、全く異なる現場に所在するデジタルカメラ２に対して、不要な撮影指示方法Ｔ０が送信されることを防止できる。なお、デジタルカメラ２の場所の確認は、後述するようにデジタルカメラ２から送信される位置情報Ｐ０に基づいて制御手段１６において行われる。
【００３３】
モニタ１３は、デジタルカメラ２から送信された画像データＳ０を現場管理情報Ｇ０に付与した管理画面等、種々の情報を表示する。
【００３４】
画像判定手段１４は、撮影指示情報Ｔ０に基づいて、各工程において必要な被写体の画像が欠落しているか否かを判定し、画像が欠落している場合には、その欠落している画像に対応する撮影指示情報Ｔ０を未送信情報として、デジタルカメラ２に送信する。
【００３５】
また、各工程において画像が欠落していない場合においても、各画像が、手ぶれ、ピンボケ、露光不足等により所定の画質を有さない場合には、現場の管理を適切に行うことができない。このため、画像判定手段１４は、さらに各工程の各画像が所定の画質を有するか否かを判定し、所定の画質を有さない画像が存在する場合には、その画像も欠落しているものとしてその画像を表す画像データＳ０を再度送信させるべく、再送信指示情報をデジタルカメラ２に送信する。
【００３６】
なお、この場合は、送信された画像データＳ０により表される画像が、所定の画質を有さなかった旨の情報を同時に送信することが好ましい。また、このような所定の画質を有さない画像について再送信を受けないでも管理画面を表示することができるが、この場合は所定の画質を有さない画像については、管理画面において×印が表示される。例えば、図２に示すように工程番号２におけるガス配管の画像が所定の画質を有さないものであった場合、工程番号２におけるガス配管の画像に対応する部分に×印が表示される。
【００３７】
デジタルカメラ２は、施工箇所の撮影を行って施工箇所の画像を表す画像データＳ１を取得する撮影手段２１と、画像データＳ１に対して画像処理を施して画像処理済みの画像データＳ０を取得する画像処理手段２２と、画像データＳ０、画像管理装置１から送信された撮影指示情報Ｔ０およびデジタルカメラ２を制御するプログラム等を記憶するメモリ２３と、無線ＬＡＮにより通信を行う無線ＬＡＮインターフェース２４と、画像データＳ０を記憶するメモリカード２５をセットするカードインターフェース２６と、撮影時に種々の情報の表示を行うモニタ２７と、デジタルカメラ２の操作を行ったり、種々の情報を入力するテンキーやボタン等からなる入力手段２８と、ＧＰＳ衛星からの測位用電波を受信してデジタルカメラ２の位置情報Ｐ０を生成する位置検出センサ２９と、撮影手段２１、画像処理手段２２、メモリ２３、無線ＬＡＮインターフェース２４、カードインターフェース２６、モニタ２７、入力手段２８、および位置検出センサ２９の制御を行う制御手段４１とを備える。
【００３８】
撮像手段２１は、撮影レンズ、ズーム機構、シャッタ、ＣＣＤ等を有し、シャッタの駆動により被写体である施工箇所を撮影して施工箇所の画像を表す画像データＳ１を得る。
【００３９】
画像処理手段２２は、画像データＳ１に対して、階調変換処理、濃度補正処理、色補正処理、シャープネス処理等の画像処理を施して、画像管理装置１に送信すべき画像処理済みの画像データＳ０を取得する。
【００４０】
無線ＬＡＮインターフェース２４は、ネットワーク３が有する無線ＬＡＮアクセスポイント３２とＩＥＥＥの規格に準拠した通信を行って、画像データＳ０を無線ＬＡＮアクセスポイント３２に送信する。また、画像管理装置１から出力されて、無線ＬＡＮアクセスポイント３２から送信された撮影指示情報Ｔ０を受信する。なお、ＩＥＥＥの規格としては具体的には、ＩＥＥＥ８０２．１１ａ、ＩＥＥＥ８０２．１１ｂ等を用いることが好ましい。ＩＥＥＥ８０２．１１ｂは、２．４ＧＨｚ帯を使用し、最大１１Ｍｂｐｓの転送速度を規格化した現在主流のものである。ＩＥＥＥ８０２．１１ａは、５．０ＧＨｚ帯を使用し、最大５４Ｍｂｐｓの転送速度を規格化したものである。なお、２．４ＧＨｚ帯を使用し、最大５４Ｍｂｐｓの転送速度を規格化したＩＥＥＥ８０２．１１ｇも提案されている。
【００４１】
位置検出センサ２９は、ＧＰＳ衛星から送信される測位用電波を受信して、デジタルカメラ２の位置情報Ｐ０を生成する。なお、位置情報Ｐ０としては、デジタルカメラ２の位置における緯度および経度を表す情報である。
【００４２】
デジタルカメラ２においては、画像管理装置１から送信された撮影指示情報Ｔ０が受信されると、モニタ２７に撮影指示画像が表示される。図３はモニタ２７に表示された撮影指示画像を示す図である。図３に示すように、モニタ２７に表示された撮影指示画像２７ａには、簡易画像、施工箇所名（ここではコンクリート１）および工程番号（ここでは２）が含まれる。
【００４３】
デジタルカメラ２を所有する管理者は、モニタ２７に表示された撮影指示画像２７ａに基づいて、各工程において必要とされる施工箇所の撮影を行うことができる。ここで、各工程には複数の施工箇所が存在する。このため、モニタ２７には、所定の順序で簡易画像および施工箇所名が表示される。例えば、現場管理情報Ｇ０の縦軸に並べられた順序により簡易画像および施工箇所名が表示される。なお、１つの施工箇所の撮影が完了した後に次の施工箇所の撮影を順次行うようにしてもよいが、入力手段２８を操作することにより、施工箇所の簡易画像および施工箇所名を切り替えて、管理者が所望とする順序により施工箇所の撮影を行うようにしてもよい。
【００４４】
次いで、第１の実施形態の動作について説明する。図４は、第１の実施形態において行われる処理を示すフローチャートである。まず、画像管理装置１において、デジタルカメラ２から送信された位置情報Ｐ０が受信され（ステップＳ１）、デジタルカメラ２が施工箇所の撮影を行う工事現場に所在するか否かが判定される（ステップＳ２）。ステップＳ２が否定されるとステップＳ１に戻り、ステップＳ１およびステップＳ２の処理が繰り返される。
【００４５】
ステップＳ２が肯定されると、撮影すべき工程に対応する撮影指示情報Ｔ０がメモリ１２から読み出されて、デジタルカメラ２に送信される（ステップＳ３）。
【００４６】
デジタルカメラ２においては、撮影指示情報Ｔ０が受信され（ステップＳ４）、撮影指示情報Ｔ０に基づく撮影指示画像２７ａがモニタ２７に表示される（ステップＳ５）。続いて、撮影が行われたか否かが判定され（ステップＳ６）、ステップＳ６が否定されると、次の撮影指示画像２７ａの表示指示が入力手段２８からなされたか否かが判定される（ステップＳ７）。ステップＳ７が否定されるとステップＳ６に戻り、ステップＳ６およびステップＳ７の処理が繰り返される。ステップＳ７が肯定されると、次の撮影指示画像２７ａがモニタ２７に表示され（ステップＳ８）、ステップＳ６に戻る。
【００４７】
ステップＳ６が肯定されると、続いて、入力手段２８から送信の指示がなされたか否かの監視が開始される（ステップＳ９）。ステップＳ９が肯定されると、撮影により取得された画像データＳ０が無線ＬＡＮアクセスポイント３２経由で画像管理装置１に送信される（ステップＳ１０）。
【００４８】
デジタルカメラ２においてはステップＳ１０に続いてステップＳ８に進み、次の撮影指示画像２７ａの表示がなされ、ステップＳ６に戻る。
【００４９】
一方、画像管理装置１においては、デジタルカメラ２から送信された画像データＳ０が受信され（ステップＳ１１）、メモリ１２に記憶される（ステップＳ１２）。そして、撮影指示情報Ｔ０を送信した工程について、管理期限となったか否かが判定され（ステップＳ１３）、ステップＳ１３が肯定されると、その工程についての全ての施工箇所の画像データＳ０が受信されたか否かが判定される（ステップＳ１４）。ステップＳ１４が肯定されると、その工程についての全ての画像データＳ０が所定の画質を有するか否かが判定される（ステップＳ１５）。ステップＳ１５が肯定されると、その工程についての画像データＳ０により表される画像が現場管理情報Ｇ０に付与され（ステップＳ１６）、処理を終了する。
【００５０】
これにより、画像管理装置１においては、現場管理情報Ｇ０を含む管理画面をモニタ１３に表示することができ、その結果、画像管理装置１の管理者は、管理画面に基づいて撮影指示情報Ｔ０をデジタルカメラ２に送信した工程についての施工管理を行うことができる。
【００５１】
なお、ステップＳ１３が否定されると、更新された撮影指示情報Ｔ０が生成されてデジタルカメラ２に送信され（ステップＳ１７）、さらに撮影を行わせるために撮影指示画像を表示させるべく、ステップＳ５に戻る。なお、更新された撮影指示情報Ｔ０は、既に送信された画像データＳ０に対応する簡易画像および施工箇所名が除かれたものとなっている。このように、更新された撮影指示情報Ｔ０をデジタルカメラ２に送信することにより、デジタルカメラ２を所有する管理者が既に送信された画像データＳ０を再度撮影することを防止することができ、これにより、管理者は効率よく施工箇所の撮影を行うことができる。
【００５２】
一方、ステップＳ１４が否定されると、画像データＳ０が未送信の施工箇所の種別を表す未送信情報がデジタルカメラ２に送信され（ステップＳ１８）、未送信情報に対応する撮影指示画像を表示させるべく、ステップＳ５に戻る。
【００５３】
また、ステップＳ１５が否定されると、所定の画質を有さない画像データＳ０について再送信を促すための再送信指示情報がデジタルカメラ２に送信され（ステップＳ１９）、再送信指示情報に対応する撮影指示画像を表示させるべく、ステップＳ５に戻る。
【００５４】
このように、第１の実施形態においては、デジタルカメラ２に撮影すべき施工箇所を表す撮影指示情報Ｔ０を送信しているため、全ての施工箇所にデジタルカメラを設置する必要がなくなり、これにより、少ない設備投資にて工事現場における複数の施工箇所についての撮影を管理者に行わせて、施工管理に必要な画像データＳ０を取得することができる。また、デジタルカメラ２の管理者は、撮影指示情報Ｔ０に基づいて撮影を行うことにより、撮影すべき場所を覚えておく必要がなくなるため、管理者の負担を軽減することができる。
【００５５】
また、無線ＬＡＮを用いたネットワーク３を介して撮影指示情報Ｔ０および画像データＳ０のやり取りを行っているため、現場において取得した画像データＳ０を直ちに画像管理装置１に送信して現場管理情報Ｇ０を作成することができる。
【００５６】
また、画像データＳ０が未受信の施工箇所がある場合あるいは画像データＳ０を受信してはいるものの、その画像データＳ０により表される画像が所定の画質を有さない場合には、未送信情報または再送信指示情報をデジタルカメラ２に送信するようにしたため、デジタルカメラ２においては、未送信情報または再送信指示情報に基づいて施工箇所の撮影を行うことにより、撮影指示情報Ｔ０に対応する全ての画像データＳ０を取得することができる。したがって、画像管理装置１においては、その工程の撮影指示情報Ｔ０に対応する全ての画像に基づいて工事現場の管理を行うことができる。
【００５７】
また、撮影指示情報Ｔ０には、施工箇所を特定する簡易画像および施工箇所名が含まれるため、管理者は撮影すべき施工箇所の場所を容易に知ることができ、その結果、撮影指示情報Ｔ０に対応する画像データＳ０の撮影を容易に行うことができる。
【００５８】
また、デジタルカメラ２から送信された位置情報Ｐ０に基づいて、デジタルカメラ２の位置を検出しているため、画像管理装置１においては簡易にデジタルカメラ２が存在する場所を知ることができる。これにより、複数の現場の施工管理を行う場合において、撮影指示情報Ｔ０を送信すべき現場に所在するデジタルカメラ２に対してのみ、必要とされる画像の撮影を行わせる撮影指示情報Ｔ０を送信することができる。したがって、管理者は効率よく撮影すべき施工箇所を撮影することができ、その結果、効率よく画像データＳ０を取得することができる。
【００５９】
次いで、本発明の第２の実施形態について説明する。図５は、本発明の第２の実施形態による画像保管管理システムの構成を示す概略ブロック図である。図５に示すように、本発明の第２の実施形態による画像保管管理システムは、画像管理装置１から複数台（ここでは２台）のデジタルカメラ２Ａ，２Ｂに撮影指示情報Ｔ１，Ｔ２をそれぞれ送信して、デジタルカメラ２Ａ，２Ｂにおいて施工箇所の撮影を行わせるようにしたものである。
【００６０】
ここで、画像管理装置１においては、上記第１の実施形態と同様に撮影指示情報Ｔ０がメモリ１２から読み出されるが、デジタルカメラ２Ａ，２Ｂが所在する場所に基づいて、デジタルカメラ２Ａ，２Ｂのそれぞれに、各デジタルカメラ２Ａ，２Ｂが所在する場所に近い施工箇所の画像を撮影させるための撮影指示情報Ｔ１，Ｔ２がそれぞれ送信される。
【００６１】
具体的には、デジタルカメラ２Ａが、コンクリート１，２およびガス配管に近い場所に所在する場合には、図６に示すように、コンクリート１，２およびガス配管（図中○印で示す）の撮影を行わせる撮影指示情報Ｔ１がデジタルカメラ２Ａに送信される。ここで、撮影指示情報Ｔ１は、コンクリート１，２およびガス配管の簡易画像、施工箇所名および工程番号を含むものとなる。
【００６２】
また、デジタルカメラ２Ｂが、外観の正面、外観の裏面および水道配管に近い場所に所在する場合には、外観の正面、外観の裏面および水道配管（図中△印で示す）の撮影を行わせる撮影指示情報Ｔ２がデジタルカメラ２Ｂに送信される。ここで、撮影指示情報Ｔ２は、外観の正面、外観の裏面および水道配管の簡易画像、施工箇所名および工程番号を含むものとなる。
【００６３】
なお、デジタルカメラ２Ａ，２Ｂの場所の判定は、各デジタルカメラ２Ａ，２Ｂから送信された位置情報Ｐ１，Ｐ２に基づいて行われる。
【００６４】
次いで、第２の実施形態の動作について説明する。図７は、第２の実施形態において行われる処理を示すフローチャートである。まず、画像管理装置１において、デジタルカメラ２Ａ，２Ｂから送信された位置情報Ｐ１，Ｐ２受信され（ステップＳ２１）、デジタルカメラ２Ａ，２Ｂの場所が判定される（ステップＳ２２）。そして、全てのデジタルカメラ２Ａ，２Ｂが現場に所在すると判定された場合には、各デジタルカメラ２Ａ，２Ｂの位置に応じた撮影指示情報Ｔ１，Ｔ２が生成されて、各デジタルカメラ２Ａ，２Ｂに撮影指示情報Ｔ１，Ｔ２がそれぞれ送信される（ステップＳ２３）。
【００６５】
一方、いずれか一方のデジタルカメラ２Ａ，２Ｂのみが現場に所在すると判定された場合には、現場に所在するデジタルカメラにのみ撮影指示情報Ｔ０が送信される（ステップＳ２４）。
【００６６】
なお、双方のデジタルカメラ２Ａ，２Ｂが現場に所在しないと判定された場合には、ステップＳ２１に戻り、ステップＳ２１およびステップＳ２２の処理が繰り返される。
【００６７】
撮影指示情報Ｔ１，Ｔ２または撮影指示情報Ｔ０が送信されたデジタルカメラ２Ａ，２Ｂにおいては、上記第１の実施形態におけるステップＳ４からステップＳ１０の処理が行われて、撮影により取得された画像データＳ０が画像管理装置１に送信される。
【００６８】
図８は、画像データＳ０が送信された後に、画像管理装置１において行われる処理を示すフローチャートである。画像管理装置１においては、デジタルカメラ２Ａ，２Ｂから送信された画像データＳ０が受信され（ステップＳ３１）、メモリ１２に記憶される（ステップＳ３２）。そして、撮影指示情報Ｔ１，Ｔ２または撮影指示情報Ｔ０を送信した工程について、管理期限となったか否かが判定され（ステップＳ３３）、ステップＳ３３が肯定されると、その工程についての全ての施工箇所の画像データＳ０が受信されたか否かが判定される（ステップＳ３４）。ステップＳ３４が肯定されると、その工程についての全ての画像データＳ０が所定の画質を有するか否かが判定される（ステップＳ３５）。ステップＳ３５が肯定されると、その工程についての画像データＳ０により表される画像が現場管理情報Ｇ０に付与され（ステップＳ３６）、処理を終了する。
【００６９】
これにより、画像管理装置１においては、現場管理情報Ｇ０を含む管理画面をモニタ１３に表示することにより、撮影指示情報Ｔ１，Ｔ２または撮影指示情報Ｔ０をデジタルカメラ２に送信した工程についての施工管理を行うことができる。
【００７０】
一方、ステップＳ３３、ステップＳ３４またはステップＳ３５が否定されると、デジタルカメラ２Ａ，２Ｂから送信された位置情報Ｐ１，Ｐ２受信され（ステップＳ３７）、デジタルカメラ２Ａ，２Ｂの場所が判定される（ステップＳ３８）。そして、全てのデジタルカメラ２Ａ，２Ｂが現場に所在すると判定された場合には、各デジタルカメラ２Ａ，２Ｂの位置に応じた更新撮影指示情報、未送信情報または再送信指示情報がデジタルカメラ２Ａ，２Ｂに送信され（ステップＳ３９）、更新撮影指示情報、未送信情報または再送信指示情報に対応する撮影指示画像を表示させるべく、第１の実施形態におけるステップＳ５に戻る。
【００７１】
なお、更新撮影指示情報とは、各デジタルカメラ２Ａ，２Ｂが移動していることを考慮して、各デジタルカメラ２Ａ，２Ｂから送信された位置情報Ｐ１，Ｐ２に基づいて再度生成された撮影指示情報Ｔ１，Ｔ２をいう。
【００７２】
一方、いずれか一方のデジタルカメラ２Ａ，２Ｂのみが現場に所在すると判定された場合には、現場に所在するデジタルカメラにのみ更新撮影指示情報、未送信情報または再送信指示情報が送信され（ステップＳ４０）、更新撮影指示情報、未送信情報または再送信指示情報に対応する撮影指示画像を表示させるべく、第１の実施形態におけるステップＳ５に戻る。
【００７３】
このように、第２の実施形態においては、各デジタルカメラ２Ａ，２Ｂの位置を検出し、各デジタルカメラ２Ａ，２Ｂの管理者に、より近い場所にある施工箇所を撮影させるための撮影指示情報Ｔ１，Ｔ２をそれぞれデジタルカメラ２Ａ，２Ｂに送信するようにしたため、デジタルカメラ２Ａ，２Ｂを所有する管理者は効率よく撮影すべき施工箇所の撮影を行うことができ、その結果、効率よく画像データＳ０を取得することができる。
【００７４】
なお、上記第１および第２の実施形態においては、入力手段２８から画像データＳ０の送信指示を行うことにより、画像データＳ０を画像管理装置１に送信しているが、撮影後直ちに画像データＳ０を画像管理装置１に送信してもよい。
【００７５】
また、上記第１および第２の実施形態においては、施工箇所の撮影を行う毎に画像データＳ０を画像管理装置１に送信しているが、全ての施工箇所についての撮影を行った後に、全ての画像データＳ０を画像管理装置１に一度に送信してもよい。この場合、入力手段２８から送信指示を行ってもよいが、全ての画像データＳ０が揃った後に、送信指示を受けることなく全ての画像データＳ０を直ちに画像管理装置１に送信してもよい。
【００７６】
また、上記第１および第２の実施形態においては、画像データＳ０を無線ＬＡＮにより画像管理装置１に送信しているが、画像データＳ０をメモリカード２５に記憶し、後日画像管理装置１において、メモリカード２５から画像データＳ０を読み出して現場管理情報Ｇ０を作成するようにしてもよい。
【００７７】
また、上記第１および第２の実施形態においては、撮影により取得した画像データＳ０を画像管理装置１に送信しているが、デジタルカメラ２の制御手段４１において、画像データＳ０により表される画像のサムネイル画像を表すサムネイル画像データを生成し、画像データＳ０に代えてサムネイル画像データを画像管理装置１に送信してもよい。この場合、画像データＳ０はデジタルカメラ２においてメモリカード２５に記憶され、後日画像管理装置１に入力される。
【００７８】
なお、画像管理装置１においては、サムネイル画像データに基づいて、一旦仮の現場管理情報Ｇ０が生成される。この仮の現場管理情報Ｇ０は、画像データＳ０に基づいて生成されたものではないため、含まれる画像の解像度は低いが、画像のある程度の内容は認識できるものである。そして、後日、画像データＳ０をメモリカード２５から読み出した際に、画像データＳ０に基づいて現場管理情報Ｇ０を生成すればよい。
【００７９】
また、上記第１および第２の実施形態においては、撮影指示情報Ｔ０に簡易画像が含まれているが、とくに簡易画像が含まれない撮影指示情報Ｔ０を画像管理装置１からデジタルカメラ２に送信してもよい。この場合、撮影指示画像としては、施工箇所名および工程番号のみが含まれるものとなる。
【００８０】
また、上記第１の実施形態において、予めデジタルカメラ２のメモリ２３に簡易画像、施工箇所名および工程番号を記憶しておき、画像管理装置１からは、画像が必要な工程番号を表す情報のみをデジタルカメラ２に送信してもよい。この場合、デジタルカメラ２においては、工程番号を表す情報に基づいて、メモリ２３から簡易画像、施工箇所名および工程番号を読み出して、これを撮影指示画像としてモニタ２７に表示すればよい。
【００８１】
また、上記第２の実施形態において、予めデジタルカメラ２Ａ，２Ｂのメモリ２３に簡易画像、施工箇所名および工程番号を記憶しておき、画像管理装置１からは、画像が必要な工程番号およびデジタルカメラ２Ａ，２Ｂの位置に応じた施工箇所名を表す情報のみをデジタルカメラ２Ａ，２Ｂに送信してもよい。この場合、デジタルカメラ２Ａ，２Ｂにおいては、工程番号および施工箇所名を表す情報に基づいて、メモリ２３から簡易画像、施工箇所名および工程番号を読み出して、これを撮影指示画像としてモニタ２７に表示すればよい。
【００８２】
また、上記第１および第２実施形態においては、撮影指示情報Ｔ０をその工程についての全ての施工箇所が含まれるものとしているが、その工程についての１つの施工箇所の撮影を行わせるべく、撮影指示情報Ｔ０を１箇所のみの簡易画像および施工箇所名を含むものとしてもよい。この場合、デジタルカメラ２においては、１つの施工箇所の撮影が行われて画像データＳ０が画像管理装置１に送信されるが、画像管理装置１においては、画像データＳ０を受信すると、次の施工箇所についての撮影を行わせる撮影指示情報Ｔ０を順次デジタルカメラ２に送信する。デジタルカメラ２においては次の施工箇所についての簡易画像および施工箇所名が撮影指示画像としてモニタ２７に表示される。そして、画像データＳ０および撮影指示情報Ｔ０の送受信を繰り返すことにより、デジタルカメラ２から、その工程における全ての施工箇所についての画像データＳ０を画像管理装置１に送信することができる。
【００８３】
また、上記第１および第２実施形態においては、デジタルカメラ２から無線ＬＡＮにより画像データＳ０を送信しているが、ブルーツースのような近距離通信の規格あるいはＷ−ＣＤＭＡのような携帯電話通信網により、デジタルカメラ２から画像データＳ０を送信してもよい。
【００８４】
また、上記第１および第２の実施形態においては、デジタルカメラ２，２Ａ，２Ｂから送信された位置情報Ｐ０，Ｐ１，Ｐ２に基づいて、デジタルカメラ２，２Ａ，２Ｂの位置を検出しているが、デジタルカメラ２，２Ａ，２Ｂが通信を行う無線ＬＡＮアクセスポイント３２の位置に基づいて、デジタルカメラ２，２Ａ，２Ｂの位置を検出してもよい。
【００８５】
また、上記第１および第２の実施形態においては、建設現場の施工箇所の撮影を行うための撮影指示情報Ｔ０をデジタルカメラ２，２Ａ，２Ｂに送信しているが、例えば、多数の参加者を集めて所定箇所の画像を収集する電子画像スタンプラリーのようなゲームに対しても本発明を適用することができる。
【００８６】
この場合、撮影指示情報Ｔ０は、所定箇所において撮影すべき被写体およびその撮影期限を表すものとなる。なお、全ての撮影箇所における画像を撮影期限内に収集した場合には、画像管理装置が修了証を発行することにより、スタンプラリーへの参加者のやる気を起こさせることができる。
【００８７】
また、撮影すべき被写体をおよびその撮影期限を撮影指示情報Ｔ０としてデジタルカメラに送信し、撮影により取得した画像データを最も早く画像管理装置に送信した者を勝者とするゲームにも本発明を適用することができる。なお、このようなゲームにおいては、最も画質がよかったデジタルカメラの所有者を画像管理装置に登録したり、他の参加者にそのデジタルカメラの所有者を通知するようにしてもよい。
【図面の簡単な説明】
【図１】本発明の第１の実施形態による画像管理装置および撮像装置を備えた画像保管管理システムの構成を示す概略ブロック図
【図２】現場管理情報の例を示す図
【図３】デジタルカメラのモニタに表示された撮影指示画像を示す図
【図４】第１の実施形態において行われる処理を示すフローチャート
【図５】本発明の第２の実施形態による画像保管管理システムの構成を示す概略ブロック図
【図６】第２の実施形態においてデジタルカメラに送信される撮影指示情報を説明するための図
【図７】第２の実施形態において行われる処理を示すフローチャート（その１）
【図８】第２の実施形態において行われる処理を示すフローチャート（その２）
【符号の説明】
１　　画像管理装置
２，２Ａ，２Ｂ　　デジタルカメラ
３　　ネットワーク
１１　　通信インターフェース
１２，２３　　メモリ
１３，２７　　モニタ
１４　　画像判定手段
１５，２８　　入力手段
１６　　制御手段
２１　　撮影手段
２２　　画像処理手段
２４　　無線ＬＡＮインターフェース
２５　　メモリカード
２６　　カードインターフェース
２９　　位置検出センサ
３１　　ＬＡＮ
３２　　無線ＬＡＮアクセスポイント
【図１】
2004032608.tif 000003
【図２】
2004032608.tif 000004
【図３】
2004032608.tif 000005
【図４】
2004032608.tif 000006
【図５】
2004032608.tif 000007
【図６】
2004032608.tif 000008
【図７】
2004032608.tif 000009
【図８】
2004032608.tif 000010